(57)【要約】      （修正有）【課題】就寝中に、身体が大きく動いた場合でも、肩が露出しないように構成した寝具を提供する。【解決手段】筒袖型肩冷え防止寝具Ａは、矩形状をなす寝具本体１０の長手方向端部両側に腕を通すための筒状の筒袖部Ｂ１，Ｂ２が延長形成されてなる。該筒袖部Ｂ１，Ｂ２は、寝具本体１０の長手方向端部両側に肩覆い用の折返し片２１，２２が延長形成され、該各折返し片の間には首出し用のＵ字状切り込み部２３が設けられる。各折返し片２１，２２の外側縁先端、及び、折返し片を折り返した際における折返し片の外側縁先端と対応する寝具本体両側縁に、両者を結合するための結合具３１〜３４が配設されてなり、該結合具を結合することにより筒状をなす。【選択図】図２
0003153243.tif 000002
【実用新案登録請求の範囲】
【請求項１】
矩形状をなす寝具本体の長手方向端部両側に腕を通すための筒状の筒袖部が延長形成されてなることを特徴とする筒袖型肩冷え防止寝具。
【請求項２】
筒袖部は、寝具本体の長手方向端部両側に肩覆い用の折返し片が延長形成され、該各折返し片の間には首出し用のＵ字状切り込み部が設けられ、各折返し片の外側縁先端、及び、折返し片を折り返した際における折返し片の外側縁先端と対応する寝具本体両側縁に、両者を結合するための結合具が配設されてなり、該結合具を結合することにより筒状をなすように構成したことを特徴とする請求項１に記載の筒袖型肩冷え防止寝具。
【考案の詳細な説明】
【技術分野】
【０００１】
本考案は、就寝時において、身体の下に敷いたり又は上に掛けたりして使用し、就寝中の肩の冷えを防止する筒袖部を有する毛布又は布団等の寝具に関する。
【背景技術】
【０００２】
肩の冷えを防止する毛布としては、従来より、下記特許文献１に示されるものが提案されている。当該毛布は、身体の首からつま先側先端までを覆う通常の矩形状の毛布に対して、毛布の襟部両側に肩覆い片を延長形成し、当該肩覆い片により身体の肩先が露出しないように構成したものである。
【先行技術文献】
【特許文献】
【０００３】
【特許文献１】実用新案登録第３１２５９５７号
【考案の概要】
【考案が解決しようとする課題】
【０００４】
しかしながら、上記従来の毛布においては、就寝中に寝返りを打つなどして身体が大きく動いた場合、無意識のうちに肩覆い片が肩から外れ、そのため肩が冷えてしまって寝覚めてしまうことにより十分な睡眠が得られなかったり、風邪を引いてしまうおそれがあった。
【０００５】
本考案は、上記の課題を解決するためになされたものであって、就寝中に、身体が大きく動いた場合でも、肩が露出しないように構成した寝具を提供することを目的とするものである。
【課題を解決するための手段】
【０００６】
本考案に係る筒袖型肩冷え防止寝具（以下、単に「寝具」という。）は、矩形状をなす寝具本体の長手方向端部両側に腕を通すための筒状の筒袖部が延長形成されてなることを特徴とするものである。また、該筒袖部は、寝具本体の長手方向端部両側に肩覆い用の折返し片が延長形成され、該各折返し片の間には首出し用のＵ字状切り込み部が設けられ、各折返し片の外側縁先端、及び、折返し片を折り返した際における折返し片の外側縁先端と対応する寝具本体両側縁に、両者を結合するための結合具が配設されてなり、該結合具を結合することにより筒状をなすように構成してもよい。
【０００７】
上記のように構成したことにより、本考案に係る寝具は、寝具本体を身体の下に敷いて使用する時は折返し片を上へ折り返し、また寝具本体を身体の上に掛けて使用する時は折返し片を下へ折り返して、その両側縁の先端と寝具本体の両側縁とを結合することにより折返し片と寝具本体とで形成される筒状の空間部分、すなわち筒袖部を形成し、該筒袖部に腕を通せば折返し片により就寝者の肩を覆うことができ、その筒袖部の両側の開口部より手を外へ出せば、寝具の上に掛ける布団などを整えるなどの手の自由がきいて便利である。
【考案の効果】
【０００８】
したがって、本考案に係る寝具は、就寝中に身体が大きく動いた場合でも、筒状の空間部分を有する筒袖部に腕を通している限り、筒袖部内に常に肩が納まっているため、肩が冷えて睡眠が妨げられるようなことがなくなるので、快適な睡眠が得られる。
【図面の簡単な説明】
【０００９】
【図１】本考案の実施例に係る寝具の肩覆い用の折返し片を上にして展開した状態を表す平面図である。
【図２】本考案の実施例に係る寝具の肩覆い用の折返し片を折り返して筒袖部を形成した状態を表す斜視図である。
【図３】本考案の実施例に係る寝具を下に敷く場合における使用状態を表す部分斜視図である。
【図４】実施例に係る寝具を上に掛ける場合における使用状態を表す部分斜視図である。
【考案を実施するための形態】
【００１０】
次に本考案の実施例について詳述する。
【実施例】
【００１１】
図１において、Ａは本実施例に係る寝具であって、寝具Ａは、長方形の寝具本体１０と、２箇所の肩覆い用の折返し片２１，２２と、折返し片２１，２２を折り返して筒状に形成するための４本の結合紐３１，３２，３３，３４とで構成される。折返し片２１，２２は、寝具本体１０の長手方向端部（図において上部）に延長形成した延長生地部２０に対して、その中央をＵ字状に切り欠いた首出し用の切り込み部２３を設けることにより形成されるものであって、切り込み部２３の左側には左側肩覆い用の折返し片２１が形成され、右側には右側肩覆い用の折返し片２２が形成される。そして、左側肩覆い用の折返し片２１の左側縁先端２１ａに結合紐３１が縫着され、右側肩覆い用の折返し片２２の右側縁先端２２ａに結合紐３２が縫着される。また、寝具本体１０において、左側肩覆い用の折返し片２１を折り返した際に折返し片２１の左側縁先端２１ａと対応する寝具本体１０の左側縁１１に結合紐３３が縫着されており、結合紐３３と折返し片２１の左側縁先端２１ａに縫着した結合紐３１とが結び止め可能になっている。さらに寝具本体１０において、右側肩覆い用の折返し片２２を折り返した際に折返し片２２の右側縁先端２２ａと対応する寝具本体１０の右側縁１２に結合紐３４が縫着されており、結合紐３４と折返し片２２の右側縁先端２２ａに縫着した結合紐３２とが結び止め可能になっている。
【００１２】
上記の構成をなす寝具Ａにおいて、折返し片２１の左側縁先端２１ａに縫着した結合紐３１と寝具本体１０の左側縁１１に縫着した結合紐３３とを結び止め、折返し片２２の右側縁先端２２ａに縫着した結合紐３２と寝具本体１０の右側縁１１に縫着した結合紐３４とを結び止めると、図２に示すように、寝具本体１０の上端左右に筒袖部Ｂ１，Ｂ２が延長形成された形態となる。
【００１３】
上記のように筒袖部Ｂ１，Ｂ２が形成された構成において、筒袖部Ｂ１，Ｂ２にそれぞれ腕を通すと、折返し片２１，２２が身体の肩の周りに位置することになるので、折返し片２１，２２により身体の肩を覆うことができる。
【００１４】
図３は、寝具本体１０を身体の下に敷いて就寝する場合に、折返し片２１，２２を上へ折り返して筒袖部Ｂ１，Ｂ２を形成し、該筒袖部Ｂ１，Ｂ２に腕を通すことにより肩を覆った状態を示す。図４は、寝具本体を身体の上に掛けて就寝する場合に、折返し片２１，２２を下へ折り返して筒袖部Ｂ１，Ｂ２を形成し、該筒袖部Ｂ１，Ｂ２に腕を通すことにより肩を覆った状態を示す。
【００１５】
以上のように、本実施例に係る寝具Ａは、上記の筒袖部Ｂ１，Ｂ２を設けた特徴ある構成により、就寝中に肩が露出することがなく、肩が冷えるのを防止することが可能となる。
【００１６】
本実施例において、結合具として結合紐３１，３２，３３，３４を使用した例を示したが、これに限られるものではなく、ボタンとボタンホールとの組合せ、ボタンとループとの組合せ、面ファスナーの雄と雌との組合せなど種々の結合具を使用することができる。
【００１７】
また、本実施例においては、筒袖部Ｂ１，Ｂ２の形成について、折返し片２１，２２を折り返して結合紐３１，３２，３３，３４にて結び止める方法を示したが、これに限られるものではなく、あらかじめ筒状の筒袖部２個を形成しておいて、この筒袖部を寝具本体の上端部の中央を除く両側に縫着等により延長形成してもよい。さらに寝具本体１０に延長形成した折返し片２１，２２について、寝具本体を通常の長さより長く形成し、その長手方向の端部中央をＵ字状に切り欠いて首出し用の切り込み部を設けることにより、その両側を折返し片としてもよく、また、寝具本体の長手方向の端部両側に所定幅の折返し片を寝具本体と一体に形成してもよい。
【００１８】
なお、上記の実施例は、これに限定されるものではなく、実用新案登録請求の範囲に記載した広範囲な実施形態を包含するものである。
【符号の説明】
【００１９】
Ａ・・・筒袖型肩冷え防止寝具
Ｂ１・・左部筒袖部
Ｂ２・・右部筒袖部
１０・・寝具本体
１１・・折返し片の左側縁先端と対応する寝具本体の左側縁
１２・・折返し片の右側縁先端と対応する寝具本体の右側縁
２０・・延長生地部
２１・・左側肩覆い用の折返し片
２１ａ・左側肩覆い用の折返し片の左側縁先端
２２・・右側肩覆い用の折返し片
２２ａ・右側肩覆い用の折返し片の右側縁先端
２３・・切り込み部
３１，３２，３３，３４・・結合紐
【図１】
0003153243.tif 000003
【図２】
0003153243.tif 000004
【図３】
0003153243.tif 000005
【図４】
0003153243.tif 000006